(57)【特許請求の範囲】
【請求項１】
テストサンプル（ＴＳ）についての光吸収測定、および、少なくとも１つの基準サンプル（ＲＳ）についてのコンプライアンス測定を実施するための装置（１００）であって、
光路（ＬＰ）に沿って光を方向付けるように構成された照明システム（１１０）と、
テストサンプル測定のために前記光路（ＬＰ）内の第１の位置（Ａ）のところで前記テストサンプル容器（１２２）を受け入れるように構成されたテストサンプル容器ホルダ（１２０）と、
基準サンプル測定のために基準サンプル容器（１３４）を受け入れるように構成された少なくとも１つの保持領域（１３２）を有する基準サンプル容器キャリア（１３０）と、
前記テストサンプル測定中に前記テストサンプル（ＴＳ）による光の吸収を検出するように構成されるとともに、前記基準サンプル測定中に基準サンプル（ＲＳ）による光の吸収を検出するように構成された検出システム（１４０）と、
前記基準サンプル容器キャリア（１３０）に直線コンベア（１６０）によって接続されるアクチュエータ（１５０）であって、前記基準サンプル容器キャリア（１３０）を移動させて、前記少なくとも１つの保持領域（１３２）のそれぞれ１つに受け入れられた前記基準サンプル容器（１３４）を、第１の時点において前記光路（ＬＰ）内の第２の位置に位置決めするとともに、第２の時点において前記光路（ＬＰ）の外部の第３の位置に位置決めするように構成されたアクチュエータ（１５０）と
前記照明システム（１１０）と前記テストサンプル容器ホルダ（１２０）と前記検出システム（１４０）とに結合される支持部材（１０２）と、
キャリアアセンブリ（１７０）と
を備え、
前記キャリアアセンブリ（１７０）は、前記基準サンプル容器キャリア（１３０）と、前記アクチュエータ（１５０）と、前記直線コンベア（１６０）と、カバー（１７２）と、を備え、
前記キャリアアセンブリ（１７０）は、前記支持部材（１０２）に取り外し可能に取り付けられるように構成され、
前記カバー（１７２）は、前記基準サンプル容器キャリア（１３０）と前記アクチュエータ（１５０）と前記直線コンベア（１６０）とを前記装置（１００）の外部環境から少なくとも部分的に遮蔽するように構成され、
前記第１の位置および前記第２の位置は、前記光路（ＬＰ）内において、該光路（ＬＰ）に沿った異なる場所に位置する
装置。
【請求項２】
請求項１に記載のテストサンプル（ＴＳ）についての光吸収測定、および、少なくとも１つの基準サンプル（ＲＳ）についてのコンプライアンス測定を実施するための装置１００であって、
前記基準サンプル容器キャリア（１３０）は、少なくとも２つの保持領域を備え、
前記少なくとも１つの保持領域（１３２）は、前記少なくとも２つの保持領域のうちの１つであり、
前記少なくとも２つの保持領域の各々は、少なくとも２つの基準サンプル容器（１３４）のそれぞれ１つを受け入れるように構成され、
前記アクチュエータ（１５０）は、前記基準サンプル容器キャリア（１３０）を移動させて、前記少なくとも２つの保持領域（１３２）のそれぞれ１つに受け入れられた少なくとも２つの基準サンプル容器（１３４）のうちの任意の１つを前記第２の位置に位置決めするように構成される
装置。
【請求項３】
請求項１または請求項２に記載のテストサンプル（ＴＳ）についての光吸収測定、および、少なくとも１つの基準サンプル（ＲＳ）についてのコンプライアンス測定を実施するための装置（１００）であって、
光源（１１２）と、
放出端にある第１の光学素子（１１４）と
を備え、
前記第１の光学素子は、第１のガラスファイバ（１１６）を備え、
前記照明システム（１１０）および前記検出システム（１４０）は、前記照明システム（１１０）と前記検出システム（１４０）との間の前記光路（ＬＰ）の一部分における光が実質的にコリメートされるように構成された
装置。
【請求項４】
請求項１ないし請求項３のいずれか一項に記載のテストサンプル（ＴＳ）についての光吸収測定、および、少なくとも１つの基準サンプル（ＲＳ）についてのコンプライアンス測定を実施するための装置（１００）であって、
受入端にある第２の光学素子（１４２）であって、第２のガラスファイバ（１４６）と、分散素子（１４７）と、を有する第２の光学素子（１４２）と、
光検出器（１４４）と
を備える装置。
【請求項５】
請求項１ないし請求項４のいずれか一項に記載のテストサンプル（ＴＳ）についての光吸収測定、および、少なくとも１つの基準サンプル（ＲＳ）についてのコンプライアンス測定を実施するための装置（１００）であって、
前記基準サンプル容器キャリア（１３０）は、一時的でないコンピュータで読み取り可能な媒体（１３１）を備える
装置。
【請求項６】
請求項１ないし５のいずれか一項に記載のテストサンプル（ＴＳ）についての光吸収測定、および、少なくとも１つの基準サンプル（ＲＳ）についてのコンプライアンス測定を実施するための装置（１００）であって、
前記キャリアアセンブリ（１７０）は、スナップ嵌め式取付機構、磁気式取付機構およびボルト留め取付機構からなる組から選択される取付機構によって、前記支持部材（１０２）に取り外し可能に取り付けられるように構成される
装置。
【請求項７】
請求項１ないし請求項６のいずれか一項に記載のテストサンプル（ＴＳ）についての光吸収測定、および、少なくとも１つの基準サンプル（ＲＳ）についてのコンプライアンス測定を実施するための装置（１００）であって、
前記アクチュエータ（１５０）および前記直線コンベア（１６０）は、少なくとも１０マイクロメータの直線精度を有するように構成された
装置。
【請求項８】
請求項１ないし請求項７のいずれか一項に記載のテストサンプル（ＴＳ）についての光吸収測定、および、少なくとも１つの基準サンプル（ＲＳ）についてのコンプライアンス測定を実施するための装置（１００）であって、
前記アクチュエータ（１５０）、前記直線コンベア（１６０）および前記基準サンプル容器キャリア（１３０）は、前記少なくとも１つの保持領域（１３２）のそれぞれ１つに受け入れられた基準サンプル容器（１３４）が、前記アクチュエータ（１５０）が所定の移動を行う前に前記光路（ＬＰ）の外部に位置決めされ、前記アクチュエータ（１５０）が所定の移動を行った後に前記第２の位置（Ｂ）に位置決めされるように構成される
装置。
【請求項９】
請求項１ないし請求項８のいずれか一項に記載のテストサンプル（ＴＳ）についての光吸収測定、および、少なくとも１つの基準サンプル（ＲＳ）についてのコンプライアンス測定を実施するための装置（１００）であって、
前記少なくとも１つの保持領域（１３２）のそれぞれ１つに受け入れられる基準サンプル容器（１３４）と組み合わされた
装置。
【請求項１０】
請求項９に記載のテストサンプル（ＴＳ）についての光吸収測定、および、少なくとも１つの基準サンプル（ＲＳ）についてのコンプライアンス測定を実施するための装置（１００）であって、
前記基準サンプル容器（１３４）は、２つの対向する壁部（１３６）を備え、
前記２つの対向する壁部（１３６）の各々は、前記基準サンプル容器（１３４）が前記第２の位置（Ｂ）に位置決めされたときに前記光路（ＬＰ）が通過するそれぞれのウィンドウ（１３８）を有する
装置。
【請求項１１】
請求項１０に記載のテストサンプル（ＴＳ）についての光吸収測定、および、少なくとも１つの基準サンプル（ＲＳ）についてのコンプライアンス測定を実施するための装置（１００）であって、
前記ウィンドウ（１３８）のうちの少なくとも１つは、水滴形状を有する
装置。
【請求項１２】
請求項９ないし請求項１１のいずれか一項に記載のテストサンプル（ＴＳ）についての光吸収測定、および、少なくとも１つの基準サンプル（ＲＳ）についてのコンプライアンス測定を実施するための装置（１００）であって、
前記基準サンプル容器（１３４）に収容された基準サンプル（ＲＳ）と組み合わされ、
前記基準サンプル（ＲＳ）は、前記装置（１００）の波長精度、前記装置（１００）の迷光性能、前記装置（１００）の線形性、または、前記装置（１００）の分解能のうちの１つを決定するのに使用されるために選択される
装置。
【請求項１３】
請求項１ないし請求項１２のいずれか一項に記載のテストサンプル（ＴＳ）についての光吸収測定、および、少なくとも１つの基準サンプル（ＲＳ）についてのコンプライアンス測定を実施するための装置（１００）であって、
前記テストサンプル容器ホルダ（１２０）内に受け入れられたテストサンプル容器（１２２）、または、
前記テストサンプル容器（１２２）に収容されたテストサンプル（ＴＳ）と組み合わされた前記テストサンプル容器ホルダ（１２０）内に受け入れられた前記テストサンプル容器（１２２）
と組み合わされた装置。
【請求項１４】
特に請求項１ないし請求項１３のいずれか一項に記載のテストサンプル（ＴＳ）についての光吸収測定、および、少なくとも１つの基準サンプル（ＲＳ）についてのコンプライアンス測定を実施するための装置（１００）であって、
光路（ＬＰ）に沿って光を方向付けるように構成された照明システム（１１０）と、
テストサンプル測定のために前記光路（ＬＰ）内の第１の位置（Ａ）のところで前記テストサンプル容器（１２２）を受け入れるように構成されたテストサンプル容器ホルダ（１２０）と、
基準サンプル測定のために空の基準サンプル容器（１３４）を受け入れる少なくとも１つの保持領域（１３２）を有する基準サンプル容器キャリア（１３０）と
を備え、
前記基準サンプル容器（１３４）は、基準サンプル（ＲＳ）を受け入れるように構成され、
装置（１００）は、さらに、
前記テストサンプル測定中にテストサンプル（ＴＳ）によって吸収された光を検出するように構成されるとともに、基準サンプル測定中に基準サンプル（ＲＳ）によって吸収された光を検出するように構成された検出システム（１４０）と、
前記基準サンプル容器キャリア（１３０）に接続されるアクチュエータ（１５０）であって、前記基準サンプル容器キャリア（１３０）を移動させて、前記基準サンプル容器（１３４）を、第１の時点において前記光路（ＬＰ）内の第２の位置（Ｂ）に位置決めするとともに、第２の時点において前記光路（ＬＰ）の外部の第３の位置に位置決めするように構成されたアクチュエータ（１５０）と
を備え、
前記第１の位置（Ａ）および前記第２の位置（Ｂ）は、前記光路内において、該光路に沿った異なる場所に位置する
装置。
【請求項１５】
請求項１から１４のいずれか一項に記載の装置を用いて、テストサンプル（ＴＳ）についての光吸収測定、および、少なくとも１つの基準サンプル（ＲＳ）についてのコンプライアンス測定を実施するための方法（４００）であって、
光吸収測定を実施するための装置（１００）の基準サンプル容器キャリア（１３０）を移動させて、前記キャリア（１３０）の第１の保持領域（１３２）内に受け入れられた第１の基準サンプル容器（１３４）を光路内の第２の位置（Ｂ）に位置決めする工程と、
前記装置（１００）の照明システム（１１０）からの光を前記光路（ＬＰ）に沿って前記装置（１００）の検出システム（１４０）へ方向付けて、前記第２の位置（Ｂ）で前記第１の基準サンプル容器（１３４）に収容された第１の基準サンプル（ＲＳ）についての光吸収測定を実施する工程と、
前記キャリア（１３０）を移動させて、前記第１の基準サンプル容器（１３４）を前記光路（ＬＰ）の外部に位置決めする工程と、
前記光路（ＬＰ）内の第１の位置（Ａ）のところで前記装置（１００）のテストサンプル容器ホルダ（１２０）内にテストサンプル容器（１２２）を配置する工程と
を備え、
前記第２の位置（Ｂ）および前記第１の位置（Ａ）は、前記光路（ＬＰ）内において、該光路（ＬＰ）に沿った異なる場所に位置し、
前記方法（４００）は、さらに、前記照明システム（１１０）からの光を前記光路に沿って前記検出システム（１４０）へ方向付けて、前記第１の位置（Ａ）で前記テストサンプル容器（１２２）に収容されたテストサンプル（ＴＳ）についての光吸収測定を実施する工程を備える
方法。
【請求項１６】
請求項１５に記載のテストサンプル（ＴＳ）についての光吸収測定、および、少なくとも１つの基準サンプル（ＲＳ）についてのコンプライアンス測定を実施するための方法（４００）であって、
前記照明システム（１１０）からの光を前記光路（ＬＰ）に沿って前記検出システムへ方向付けて、前記第２の位置（Ｂ）で前記第１の基準サンプル容器（１３４）に収容された前記第１の基準サンプル（ＲＳ）についての前記光吸収測定を実施する前に、前記テストサンプル容器ホルダ（１２０）内に受け入れられたテストサンプル容器（１２２）が存在しないことを確認する工程を備える
方法。
【請求項１７】
請求項１５または請求項１６に記載のテストサンプル（ＴＳ）についての光吸収測定、および、少なくとも１つの基準サンプル（ＲＳ）についてのコンプライアンス測定を実施するための方法（４００）であって、
前記キャリア（１３０）を移動させて、該キャリア（１３０）の第２の保持領域（１３４）内に受け入れられた第２の基準サンプル容器（１３４）を前記光路（ＬＰ）内の前記第２の位置（Ｂ）に位置決めする工程と、
前記照明システム（１１０）からの光を前記光路（ＬＰ）に沿って前記検出システム（１４０）へ方向付けて、前記第２の位置（Ｂ）で前記第２の基準サンプル容器（１３４）に収容された第２の基準サンプル（ＲＳ）についての光吸収測定を実施する工程と
を備える方法。
【請求項１８】
請求項１７に記載のテストサンプル（ＴＳ）についての光吸収測定、および、少なくとも１つの基準サンプル（ＲＳ）についてのコンプライアンス測定を実施するための方法（４００）であって、
前記第１の基準サンプル（ＲＳ）は、溶媒内に溶解した物質を含み、
前記第２の基準サンプル（ＲＳ）は、前記溶媒のみを含み、
前記方法は、
前記第１の基準サンプル容器（１３４）に収容された前記第１の基準サンプルについての前記光吸収測定から生じる第１のスペクトルを取得する工程と、
前記第２の基準サンプル容器（１３４）に収容された前記物質についての前記光吸収測定から生じる第２のスペクトルを取得する工程と、
前記第１のスペクトルと前記第２のスペクトルとに基づいて基準サンプルスペクトルを取得する工程と、
前記基準サンプルスペクトルの波長および強度の少なくとも一方を分析する工程と、
基準との整合性が達成されているか否かを決定する工程と、
整合性が達成されているか否かを表すデータを、一時的でないコンピュータで読み取り可能な媒体（１３１）に記憶することと、前記データを表示すること（１９４）と、のうちの少なくとも一方を実施する工程と
を備える方法。
【発明の詳細な説明】
【技術分野】
【０００１】
［0001］本開示は、テストサンプルについての光吸収測定、および、基準サンプルについてのコンプライアンス測定を実施するための装置および方法に関し、それには、テストサンプルまたは基準サンプルについての分光計測または光度測定を実施することが含まれるが、それらに限定されるわけではない。
【背景技術】
【０００２】
［0002］Woolfrey（Woolfrey）への国際特許出願第ＷＯ２００３／０７８９４５は、分光計のデュアルビームキャリブレーションについて記載している。レーザビームが、通常、サンプル焦点調整光学系に方向付けられ、その通常経路からそらされ、第１の基準源に照射される。
【０００３】
［0003］Workman（Workman）への国際特許出願第ＷＯ２０１３／１６３２６８は、分光計の補助的な基準キャリブレーションについて記載している。この分光計は、サンプルについての測定を行うように構成される。診断測定を行うために、補助的な基準サンプルが、分光計の測定室内に機械的に挿入されたタレットまたはパドル内に提供される。
【発明の概要】
【課題を解決するための手段】
【０００４】
［0004］テストサンプルについての光吸収測定、および、少なくとも１つの基準サンプルについてのコンプライアンス測定を実施するための装置が開示される。この装置は、光路に沿って光を方向付けるように構成された照明システムと、テストサンプル測定のために光路内の第１の位置でテストサンプル容器を受け入れるように構成されたテストサンプル容器ホルダと、基準サンプル測定のために基準サンプル容器を受け入れるように構成された少なくとも１つの保持領域を有する基準サンプル容器キャリアと、テストサンプル測定中にテストサンプルによって吸収される光を検出するように構成されるとともに、基準サンプル測定中に基準サンプルによって吸収される光を検出するように構成された検出システムと、基準サンプル容器キャリアに接続されるアクチュエータと、を備えている。アクチュエータは、基準サンプル容器キャリアを移動させて、少なくとも１つの保持領域のそれぞれ１つに受け入れられた基準サンプル容器を、第１の時点において、光路内の第２の位置に位置決めし、第２の時点において、光路の外部の第３の位置に位置決めするように構成される。第１の位置および第２の位置は、光路内において、光路に沿った異なる場所に位置する。
【０００５】
［0005］基準サンプル容器キャリアは、少なくとも２つの保持領域を備えている。この場合、少なくとも２つの保持領域のうちの少なくとも１つの保持領域は、少なくとも２つの基準サンプル容器のそれぞれ１つを受け入れるように構成される。さらに、アクチュエータは、基準サンプル容器キャリアを移動させて、少なくとも２つの保持領域のそれぞれ１つに受け入れられた少なくとも２つの基準サンプル容器のうちの任意の１つを第２の位置に位置決めするように構成される。
【０００６】
［0006］好ましくは、基準サンプル容器キャリアは、一時的ではないコンピュータで読み取り可能な媒体を備えている。
【０００７】
［0007］テストサンプルについての光吸収測定、および、少なくとも１つの基準サンプルについてのコンプライアンス測定を実施するための装置は、さらに、光源と、第１の光学素子と、を有する照明システムを備えている。第１の光学素子は、放出端に存在し、第１のガラスファイバを備えている。
【０００８】
［0008］さらなる実施形態では、照明システムおよび検出システムは、照明システムと検出システムとの間の光路の一部分における光が実質的にコリメートされるように構成される。
【０００９】
［0009］さらなる実施形態では、装置の検出システムは、第２の光学素子を受入端に備えている。第２の光学素子は、第２のガラスファイバと、分散素子と、光検出器と、を備えている。
【００１０】
［0010］テストサンプルについての光吸収測定、および、少なくとも１つの基準サンプルについてのコンプライアンス測定を実施するための装置は、さらに、アクチュエータと基準サンプル容器キャリアとを接続する直線コンベアを備えている。
【００１１】
［0011］一実施形態では、装置は、さらに、照明システムとテストサンプル容器ホルダと検出システムとに結合された支持部材と、キャリアアセンブリと、を備えている。キャリアアセンブリは、基準サンプル容器キャリアと、アクチュエータと、直線コンベアと、直線コンベアに取り付けられたカバーと、を備えている。キャリアアセンブリは、支持部材に取り外し可能に取り付けられるように構成される。さらに、カバーは、キャリアアセンブリが装置に取り付けられたときに、基準サンプル容器キャリア、アクチュエータおよび直線コンベアを、装置の外部の環境から少なくとも部分的に遮蔽するように構成される。
【００１２】
［0012］キャリアアセンブリは、取付機構によって支持部材に取り外し可能に取り付けられるように構成される。取付機構は、スナップ嵌め式取付機構、磁気式取付機構およびボルト留め機構からなる組から選択される。
【００１３】
［0013］一実施形態では、アクチュエータおよび直線コンベアは、少なくとも１０マイクロメータの直線精度を有するように構成される。
【００１４】
［0014］さらなる実施形態では、アクチュエータ、直線コンベアおよび基準サンプル容器キャリアは、少なくとも１つの保持領域のそれぞれ１つに受け入れられた基準サンプル容器が、アクチュエータが所定の移動を行う前に光路の外部に位置決めされ、アクチュエータが所定の移動を行った後に第２の位置に位置決めされるように構成される。
【００１５】
［0015］テストサンプルについての光吸収測定、および、少なくとも１つの基準サンプルについてのコンプライアンス測定を実施するための装置の基準サンプル容器は、少なくとも１つの保持領域のそれぞれ１つに受け入れられる。
【００１６】
［0016］一実施形態では、基準サンプル容器は、それぞれのウィンドウをそれぞれ有する２つの対向する壁部を備えている。基準サンプル容器が第２の位置に位置決めされるとき、光路がこのウィンドウを通過する。
【００１７】
［0017］さらなる実施形態では、基準サンプル容器のウィンドウは、水滴形状を有している。
【００１８】
［0018］一実施形態では、基準サンプル容器は、テストサンプルについての光吸収測定、および、少なくとも１つの基準サンプルについてのコンプライアンス測定を実施するための上述の装置と組み合わせて提供されてもよい。基準サンプル容器は、さらに、装置の波長精度、装置の迷光性能、装置の線形性、または、装置の分解能の決定において使用されるように選択されてもよい。
【００１９】
［0019］さらなる実施形態では、テストサンプル容器は、テストサンプルについての光吸収測定、および、少なくとも１つの基準サンプルについてのコンプライアンス測定を実施するための上述の装置と組み合わせて提供されてもよい。テストサンプル容器は、テストサンプルをさらに収容するテストサンプル容器ホルダ内に受け入れられる。
【００２０】
［0020］テストサンプルについての光吸収測定、および、少なくとも１つの基準サンプルについてのコンプライアンス測定を実施するための本発明による装置、特に、上述の実施形態のいずれかによる装置は、光路に沿って光を方向付けるように構成された照明システムと、テストサンプル測定のために光路内の第１の位置でテストサンプル容器を受け入れるように構成されたテストサンプル容器ホルダと、基準サンプル測定のために空の基準サンプル容器を受け入れる少なくとも１つの保持領域を有する基準サンプル容器キャリアと、を備えている。基準サンプル容器は、基準サンプルを受け入れるように構成される。この装置は、さらに、検出システムを備えている。検出システムは、テストサンプル測定中にテストサンプルによって吸収された光を検出するように構成されるとともに、基準サンプル測定中に基準サンプルによって吸収された光を検出するように構成される。この装置は、さらに、基準サンプル容器キャリアに接続されるアクチュエータを備えている。アクチュエータは、基準サンプル容器キャリアを移動させて、基準サンプル容器を、第１の時点で光路内の第２の位置に位置決めし、第２の時点で光路の外部の第３の位置に位置決めするように構成される。第１の位置および第２の位置は、光路内において、光路に沿った異なる場所に位置する。
【００２１】
［0021］テストサンプルについての光吸収測定、および、少なくとも１つの基準サンプルについてのコンプライアンス測定を実施するための方法が開示される。この方法は、光吸収測定を実施するための装置の基準サンプル容器キャリアを移動させて、キャリアの第１の保持領域に受け入れられた第１の基準サンプル容器を、光路内の第２の位置に位置決めする工程と、装置の照明システムからの光を光路に沿って装置の検出システムへ方向付けて、第２の位置で第１の基準サンプル容器に収容された第１の基準サンプルについての光吸収測定を実施する工程と、キャリアを移動させて、第１の基準サンプル容器を光路の外部に位置決めする工程と、光路内の第１の位置のところで、装置のテストサンプル容器ホルダ内にテストサンプル容器を配置する工程と、を備えている。第２の位置および第１の位置は、光路内において、光路に沿った異なる場所に位置する。この方法は、さらに、照明システムからの光を光路に沿って検出システムへ方向付けて、第１の位置でテストサンプル容器に収容されたテストサンプルについての光吸収測定を実施する工程を備えている。
【００２２】
［0022］この方法は、さらに、照明システムからの光を光路に沿って検出システムへ方向付けて、第２の位置で第１の基準サンプル容器に収容された第１の基準サンプルについての光吸収測定を実施する前に、テストサンプル容器ホルダ内に受け入れられたテストサンプル容器が存在しないことを確認する工程を備えている。
【００２３】
［0023］さらなる実施形態では、この方法は、キャリアを移動させて、キャリアの第２の保持領域に受け入れられた第２の基準サンプル容器を、光路内の第２の位置に位置決めする工程を備えている。それは、さらに、照明システムからの光を光路に沿って検出システムへ方向付けて、第２の位置で第２の基準サンプル容器に収容された第２の基準サンプルについての光吸収測定を実施する工程を備えている。
【００２４】
［0024］テストサンプルについての光吸収測定、および、少なくとも１つの基準サンプルについてのコンプライアンス測定を実施するための方法の一実施形態において、第１の基準サンプルは、溶媒に溶解された物質を含み、第２の基準サンプルは、溶媒のみを含む。この方法は、第１の基準サンプル容器に収容された第１の基準サンプルについての光吸収測定から生じる第１のスペクトルを取得する工程と、第２の基準サンプル容器に収容された物質についての光吸収測定から生じる第２のスペクトルを取得する工程と、を備えている。この方法は、さらに、第１および第２のスペクトルに基づいて基準サンプルスペクトルを取得する工程と、基準サンプルスペクトルの波長および／または強度を分析する工程と、基準との整合性（コンプライアンス）が達成されているか否かを決定する工程と、を備えている。さらに、この方法は、整合性が達成されているか否かを表すデータを、一時的でないコンピュータで読み取り可能な媒体に記憶する工程を備えている。
【００２５】
［0025］上述のもののさらなる実施形態では、この方法は、データを記憶する工程の後に当該データを表示する工程を備えている。
【００２６】
［0026］上述のもののさらなる実施形態では、この方法は、基準との整合が達成されているか否かを決定した後にデータを表示する工程を備えている。
【００２７】
［0027］本明細書で開示される他の特徴および利点は、添付図面と併せて読めば、例示的な実施形態の次の詳細な説明からいっそう明らかになるであろう。
【図面の簡単な説明】
【００２８】
【図１】テストサンプルについての光吸収測定、および、基準サンプルについてのコンプライアンス測定を実施するための装置の例示的な実施形態を示している。
【図２】テストサンプルについての光吸収測定、および基準サンプルについてのコンプライアンス測定を実施するための装置の照明システムおよび検出システムの例示的な実施形態を示している。
【図３】テストサンプルについての光吸収測定、および、基準サンプルについてのコンプライアンス測定を実施するための装置のキャリアアセンブリの例示的な実施形態の分解図を示している。
【図４】テストサンプルについての光吸収測定、および、少なくとも１つの基準サンプルについてのコンプライアンス測定を実施するための例示的な方法のブロック図を示している。
【発明を実施するための形態】
【００２９】
［0028］図１は、テストサンプルＴＳについての光吸収測定、および、基準サンプルＲＳについてのコンプライアンス測定を実施するための装置１００の例示的な実施形態を示している。装置１００は、光路ＬＰに沿って光を方向付けるように構成された照明システム１１０と、テストサンプル測定のために光路ＬＰ内の第１の位置Ａのところでテストサンプル容器１２２を受け入れるように構成されたテストサンプル容器ホルダ１２０と、基準サンプル測定のために基準サンプル容器１３４を受け入れるように構成された少なくとも１つの保持領域１３２を有する基準サンプル容器キャリア１３０と、テストサンプル測定中にテストサンプルによって吸収された光を検出するように構成されるとともに基準サンプル測定中に基準サンプルＲＳによって吸収された光を検出するように構成された検出システム１４０と、基準サンプル容器キャリア１３０に接続されたアクチュエータ１５０と、を備えている。アクチュエータ１５０は、基準サンプル容器キャリア１３０を移動させて、少なくとも１つの保持領域１３２のそれぞれ１つに受け入れられた基準サンプル容器１３４を、第１の時点ｔ１において光路ＬＰ内の第２の位置Ｂに位置決めし、第２の時点ｔ２において光路ＬＰの外部の第３の位置（図１では符号なし）に位置決めするように構成される。第１の位置Ａおよび第２の位置Ｂは、光路ＬＰ内において、光路ＬＰに沿った異なる場所に位置する。例示的な実施形態では、基準サンプル容器キャリアをパーキング位置へ移動させることによって、基準サンプル容器キャリア１３０を移動させて、基準サンプル容器１３４を第３の位置に位置決めすることが達成される。パーキング位置では、基準サンプル容器キャリア１３０の全ての基準サンプル容器１３４は、光路ＬＰの外部になる。この様々な位置が所定の公差パラメータの範囲内になることを確実にするために、閉ループフィードバック機構を有する光学式スイッチが使用されてもよい。
【００３０】
［0029］装置１００の例示的な実施形態では、第１の位置Ａおよび第２の位置Ｂは、光路ＬＰに沿った異なる場所であるから、基準サンプル容器キャリア１３０は、テストサンプル容器ホルダ１２０内に位置するテストサンプルＴＳの測定を行うときに装置１００から取り除かれる必要がない。さらに、テストサンプル測定と基準サンプル測定とに同じ光路ＬＰが使用されるので（すなわち、装置１００は、単一ビームシステムである）、光路ＬＰは、テストサンプル測定と基準サンプル測定との間で再方向付けまたは変更される必要がなく、したがって、より精度が高く信頼性が高い測定につながる。
【００３１】
［0030］装置１００の例示的な実施形態では、基準サンプル容器キャリア１３０は、２つの保持領域１３２を備えている。各保持領域は、２つの基準サンプル容器１３４のそれぞれ１つを受け入れるように構成される。アクチュエータ１５０は、基準サンプル容器キャリア１３０を移動させて、２つの保持領域１３２のそれぞれ１つに受け入れられた２つの基準サンプル容器１３４のいずれか１つを第２の位置Ｂに位置決めするように構成される。
【００３２】
［0031］基準サンプル容器キャリア１３０の例示的な実施形態は、いくつかの保持領域１３２を備えていてもよい。装置１００の例示的な実施形態では、基準サンプル容器キャリア１３０は、既知の基準に従ってコンプライアンス測定を実施するために、２つよりも多い保持領域１３２を備えている。例えば、基準サンプル容器キャリア１３０は、８つの保持領域１３２を備えていてもよい。
【００３３】
［0032］例示的な実施形態では、装置１００は、「ＵＶ／Ｖｉｓ」（紫外可視）範囲で動作する分光計または分光光度計である。他の例示的な実施形態では、装置１００は、ＵＶ／Ｖｉｓ、Ｖｉｓ（可視）、ＭＩＲ（中赤外）および／またはＮＩＲ（近赤外）のスペクトル範囲のうちのいずれか１つ、または、それらの任意の組み合わせで動作する分光計である。
【００３４】
［0033］装置１００の例示的な実施形態では、１つよりも多い基準サンプル容器１３４が基準サンプル容器キャリア１３０内に配置される。例えば、光度計精度を測定するために２つの基準サンプル容器１３４が使用される。一方の基準サンプル容器１３４は、溶媒に溶解した物質を含む基準サンプルＲＳを収容し、他方の基準サンプル容器１３４は、同じ溶媒のみを含み、当該物質を含まない基準サンプルＲＳを収容する。迷光性能および分解能を測定するために、２つの基準サンプル容器１３４の同様の構成が使用される。安定性を測定するために、空気で満たされた基準サンプル容器１３４が使用され、波長精度を測定するために、溶媒中の基準サンプルＲＳを収容する単一の基準サンプル容器１３４が使用される。光または装置１００の様々な特性を測定するために、溶媒中の基準サンプルＲＳを収容する基準サンプル容器１３４、基準サンプルＲＳを含まない溶媒を収容する基準サンプル容器１３４、空気で満たされた基準サンプル容器１３４、空の基準サンプル容器１３４、または、有機組成物で満たされた基準サンプル容器１３４の他の組み合わせが使用されてもよい。
【００３５】
［0034］図２は、装置１００の照明システムおよび検出システムの例示的な実施形態を示している。照明システム１１０は、光源１１２と、装置１００の放出端にある第１の光学素子１１４と、を備えている。第１の光学素子１１４は、第１のガラスファイバ１１６を備えている。照明システム１１０および検出システム１４０は、照明システム１１０と検出システム１４０との間の光路ＬＰの一部分における光が実質的にコリメートされるように構成される。例示的な実施形態では、ガラスファイバ１１６（オプションとしては、ガラスファイバ１１６の端部のところのコリメータレンズ１１５（および／または、コリメータ鏡）との組み合わせ）の光学的な特性によって、ビームが実質的にコリメートされることが保証される。光が実質的にコリメートされるので、照明システム１１０と検出システム１４０との間の光路に沿った様々な位置（例えば、第１の位置Ａおよび第２の位置Ｂ）において同様の光条件下で測定を実施することができる。検出システム１４０は、装置１００の受入端のところの第２の光学素子１４２と、光検出器１４４と、を備えている。例示的な実施形態では、光学フィルタ（例えば、オーダソーティングフィルタ（ＯＳＦフィルタ）など）が、光検出器１４４の前段で光路ＬＰ内に配置される。例示的な実施形態では、検出器１４４は、チャージカップルドデバイス（ＣＣＤ）アレイ検出器、線形ＣＣＤ検出器、フォトダイオードアレイ検出器、および／または、相補型金属酸化膜半導体（ＣＭＯＳ）検出器、および／または、当該分野で公知または今後開発される他の任意の検出器を備えている。例示的な実施形態では、検出器１４４は、プロセッサと、一時的でないコンピュータで読み取り可能な媒体と、を備えるセンサチップ１９２上に配置される。センサチップ１９２は、ディスプレイ１９４に接続されるか、あるいは、さらなる処理のためのコンピュータを介してディスプレイ１９４に接続される。第２の光学素子１４２は、第２のガラスファイバ１４６と、分散素子１４７と、を備えている。例示的な実施形態では、分散素子１４７は、透過回折格子、溝状回折格子、ホログラフィック回折格子および／またはプリズム、および／または、当該分野で公知または今後開発される他の任意の分散素子を備えている。例示的な実施形態では、第１の光学素子１１４および第２の光学素子１４２は、光源１１２から入口スリット１４３を通って分散素子１４７および光検出器１４４まで光路ＬＰに沿って光を伝達するために、レンズ、鏡などの光学素子を備えている。例示的な実施形態では、レンズは、コリメートされた光をガラスファイバ１４６上で焦点を結ばせる。例示的な実施形態では、光路ＬＰ内の全ての光学素子（例えば、光源１１２、第１の光学素子１１４、第２の光学素子１４２、ガラスファイバ１１６，１４６、フィルタおよび検出器１４４が含まれる）は、装置１００のスペクトル範囲について最適化される。
【００３６】
［0035］例示的な実施形態では、装置１００の検出システム１４０は、分光器（入口スリット１４３が含まれる）と、分散素子１４７と、光検出器１４４と、を備えている。分光器は、光が入り込まないハウジングを備えていてもよい。
【００３７】
［0036］装置１００の例示的な実施形態では、テストサンプル容器ホルダ１２０は、光路ＬＰが通過する貫通穴１２４（図１参照）を備えている。より一般的には、テストサンプル容器ホルダ１２０は、テストサンプル容器１２２がテストサンプル容器ホルダ１２０内に受け入れられたときに、テストサンプル容器１２２内のテストサンプルＴＳが光路ＬＰ内の第１の位置Ａに位置決めされ、テストサンプル容器ホルダ１２０がテストサンプル容器１２２を受け入れていないときに、光路ＬＰがテストサンプル容器ホルダ１２０によって遮られることなく伝わるように構成される。装置１００の例示的な実施形態では、テストサンプル容器ホルダ１２０は、テストサンプル容器１２２を位置決めするための、スロットを有する少なくとも３つの柱、または、２つの部材であって、当該２つの部材間に隙間を有して配置された２つの部材を備えており、その結果、光路ＬＰは、テストサンプル容器１２２を通過するが、テストサンプル容器ホルダ１２０によって遮られることはない。例示的な実施形態では、テストサンプル容器ホルダ１２０は、キュベットホルダ、ユニバーサルサンプルホルダ、および／または、テストサンプル容器変更器（自動または手動）、または、当該分野で公知または今後開発される他の容器ホルダを備えている。
【００３８】
［0037］装置１００の例示的な実施形態では、基準サンプル容器キャリア１３０は、一時的でないコンピュータで読み取り可能な媒体１３１（図１参照）を備えている。装置１００の例示的な実施形態では、一時的でないコンピュータで読み取り可能な媒体１３１は、リードオンリー媒体またはリード／ライト媒体を備えている。媒体１３１は、データ（例えば、基準サンプル容器１３４に収容された基準サンプルＲＳに関する認証データ、および／または、基準保証値、公差、および、固有識別子など）を記憶する。このデータは、装置１００のセンサによって読み取られてもよい。これによって、基準サンプルに関するデータを手動で装置１００に入力することに関するヒューマンエラーのリスクが低減される。装置１００の例示的な実施形態では、一時的でないコンピュータで読み取り可能な媒体１３１は、電気的消去可能リードオンリーメモリ（ＥＥＰＲＯＭ）、および／または、無線自動識別（ＲＦＩＤ）タグのメモリを備えている。
【００３９】
［0038］図３に示されるように、装置１００の例示的な実施形態は、アクチュエータ１５０と基準サンプル容器キャリア１３０とを接続する直線コンベア１６０を備えている。装置１００の例示的な実施形態では、直線コンベア１６０は、ベルト駆動、スクリュー駆動、または、当該分野で公知または今後開発される他の任意の直線コンベアである。
【００４０】
［0039］装置１００の例示的な実施形態は、照明システム１１０とテストサンプル容器ホルダ１２０と検出システム１４０とに結合された支持部材１０２を備えている。装置１００は、さらに、キャリアアセンブリ１７０を備えている。キャリアアセンブリ１７０は、基準サンプル容器キャリア１３０と、アクチュエータ１５０と、直線コンベア１６０と、直線コンベア１６０に取り付けられるカバー１７２と、を備えている。直線コンベア１６０は、直線搬送部分と、直線コンベア１６０を装置１００の他の要素に取り付けるように構成された支持構造と、を備えている。キャリアアセンブリ１７０を使用してキャリア１３０を装置１００上に配置することによって、公知の方法よりもヒューマンエラーが起きにくくなる。なぜなら、基準サンプル容器が不正確に位置決めされにくくなるか、あるいは、指紋が光学面上に存在するようになるからである。さらに、正しい基準サンプル、または、正しく集中配置された複数の基準サンプル（特定の参照基準による）が、特定のコンプライアンス測定のために使用されてもよく、また、実験室で見つけ出される必要や、新たに作成される必要がない。
【００４１】
［0040］装置１００の例示的な実施形態では、キャリアアセンブリ１７０は、支持部材に取り外し可能に取り付けられるように構成される。カバー１７２は、キャリアアセンブリ１７０が装置１００に取り付けられたときに基準サンプル容器キャリア１３０、アクチュエータ１５０および直線コンベア１６０を装置１００の外部環境から少なくとも部分的に遮蔽するように構成される。再キャリブレーション、再充填または再認証のためにキャリアアセンブリ１７０を取り外すことが望ましい場合がある。
【００４２】
［0041］装置１００の例示的な実施形態では、キャリアアセンブリ１７０は、スナップ嵌め式取付機構、磁気式取付機構および／またはボルト留め機構によって支持部材１０２に取り外し可能に取り付けられるように構成される。
【００４３】
［0042］装置１００の例示的な実施形態では、アクチュエータ１５０および直線コンベア１６０は、少なくとも１０マイクロメータの直線精度を有するように構成される。これによって、基準サンプルについて実施される光吸収測定の信頼性および精度が向上する。
【００４４】
［0043］装置１００の例示的な実施形態では、直線コンベア１６０および基準サンプル容器キャリア１３０は、アクチュエータ１５０が所定の移動を行う前に、それぞれの保持領域１３２内に受け入れられた基準サンプル容器１３４が光路ＬＰの外部に位置決めされ、アクチュエータ１５０が所定の移動を行った後に、第２の位置Ｂに位置決めされるように構成される。
【００４５】
［0044］装置１００の例示的な実施形態は、それぞれの保持領域１３２内に受け入れられた基準サンプル容器１３４と組み合わせられてもよい。装置１００の例示的な実施形態では、基準サンプル容器１３４は、空であり、ユーザによって満たされ得る。
【００４６】
［0045］装置１００の例示的な実施形態では、基準サンプル容器１３４は、２つの対向する壁部１３６（図３では、１つの壁部のみが見える）を備えている。壁部１３６の各々は、基準サンプル容器１３４が第２の位置Ｂに位置決めされたときに光路ＬＰが通過するそれぞれのウィンドウ１３８を有している。例示的な実施形態では、光は、基準サンプル容器１３４のウィンドウ１３８のみを通過することができ、基準サンプル容器１３４の残りの部分は、不透明である。ウィンドウ１３８は、円形、矩形、または、規則的または不規則な他の任意の所望の形状であってもよい。
【００４７】
［0046］装置１００の例示的な実施形態では、ウィンドウ１３８の一方または両方は、水滴形状を有している。光路ＬＰは、水滴形状のウィンドウ１３８の下側の相対的に広い部分を通って伝わる。ユーザは、水滴形状のウィンドウ１３８の上側の相対的に狭い部分を通じて基準サンプル容器１３４の液体のレベルを視覚的に監視することができる。基準サンプル容器１３４の内部の液体レベルを監視することによって、液体レベルがコンプライアンス測定のために低くなりすぎる（すなわち、光吸収測定中に光が液体のみを通過するには低くなりすぎる）前に、基準サンプル容器１３４内に収容された物質を置換することができ、あるいは、基準サンプル容器１３４自体を置換することができる。代替的に、ウィンドウ１３８は、丸くてもよく、あるいは、長円形であってもよい。好ましくは、ウィンドウは、光ビームが通過する程度に十分に大きく、かつ、環境光が容器１３４をほとんど透過しない程度に十分小さい。
【００４８】
［0047］装置１００の例示的な実施形態は、基準サンプル容器１３４に収容された基準サンプルＲＳと組み合わせられてもよい。基準サンプルＲＳは、装置の波長精度、装置の迷光性能、装置の線形性、または、装置の分解能の決定において使用するように選択される。基準サンプルＲＳは、規制基準に準拠してもよい。例えば、基準サンプルＲＳは、米国材料試験協会（ＡＳＴＭ）によって米国薬局方協会（ＵＳＰ）参照基準に対して発行された基準、または、当該分野で公知または今後開発される他の基準に準拠してもよい。
【００４９】
［0048］装置１００の例示的な実施形態は、テストサンプル容器ホルダ１２０内に受け入れられたテストサンプル容器１２２と組み合わせられてもよい。
【００５０】
［0049］装置１００の例示的な実施形態は、テストサンプル容器ホルダ１２０内に受け入れられたテストサンプル容器１２２と、テストサンプル容器１２２に収容されたテストサンプルＴＳと、組み合わせられてもよい。
【００５１】
［0050］装置１００の例示的な実施形態では、基準サンプルＲＳと溶媒（単数または複数）との様々な組み合わせを収容する基準サンプル容器１３４を収容する基準サンプル容器キャリア１３０は、光吸収測定を実施する装置１００のユーザによって変更できないように構成される。
【００５２】
［0051］装置１００の例示的な実施形態では、基準サンプルＲＳと溶媒（単数または複数）との様々な組み合わせを収容する基準サンプル容器１３４は、光吸収測定を実施する装置１００のユーザによって変更できないように構成される。しかしながら、ユーザは、基準サンプル容器およびそこに収容された物質を変更することなく、それぞれの基準サンプル容器１３４を基準サンプル容器キャリア１３０内へ配置してもよく、あるいは、基準サンプル容器キャリア１３０から取り除いてもよい。充填済みの基準サンプル容器１３４を提供することによって、光吸収測定の信頼性およびその（所望の基準に対する）信頼性が向上する。
【００５３】
［0052］図４は、テストサンプルＴＳについての光吸収測定、および、少なくとも１つの基準サンプルＲＳについてのコンプライアンス測定を実施するための例示的な方法４００のブロック図を示している。方法４００は、ステップＳ４０２において、光吸収測定を実施するために装置１００の基準サンプル容器キャリア１３０を移動させて、キャリア１３０の第１の保持領域１３２内に受け入れられた第１の基準サンプル容器１３４を光路ＬＰ内の第２の位置Ｂに位置決めする工程を備えている。この方法４００は、さらに、ステップＳ４０４において、装置の照明システム１１０からの光を光路ＬＰに沿って装置の検出システム１４０へ方向付けて、第２の位置Ｂで第１の基準サンプル容器１３４に収容された第１の基準サンプルＲＳについての光吸収測定を実施する工程を備えている。この方法４００は、さらに、ステップＳ４０６において、キャリア１３０を移動させて、第１の基準サンプル容器１３４を光路ＬＰの外部に位置決めする工程と、ステップＳ４０８において、光路ＬＰ内の第１の位置Ａでテストサンプル容器１２２を装置１００のテストサンプル容器ホルダ１２０内に配置する工程と、を備えている。第２の位置Ｂおよび第１の位置Ａは、光路ＬＰ内において、光路ＬＰに沿った異なる場所に位置する。方法４００は、さらに、ステップＳ４１０において、照明システム１１０からの光を光路ＬＰに沿って検出システム１４０へ方向付けて、第１の位置Ａでテストサンプル容器１２２に収容されたテストサンプルＴＳについての光吸収測定を実施する工程を備えている。
【００５４】
［0053］例示的な方法４００は、照明システム１１０からの光を光路ＬＰに沿って検出システム１４０へ方向付けて、第２の位置Ｂで第１の基準サンプル容器１３４に収容された第１の基準サンプルＲＳについての光吸収測定を実施する前に、テストサンプル容器ホルダ１２０内に受け入れられたテストサンプル容器１２２が存在しないことを確認する工程を備えている。テストサンプル容器１２２がテストサンプル容器ホルダ１２０内に受け入れられていれば、次いで、上記確認するステップは、テストサンプル容器１２２をテストサンプル容器ホルダ１２０から取り除く工程を備えている。テストサンプル容器１２２がテストサンプル容器ホルダ１２０内に受け入れられていなければ、次いで、上記確認するステップは、方法４００の次のステップへ進む工程を備えている。上記確認するステップは、移動させるステップＳ４０２の前、または、方向付けるステップＳ４０４の前に実施されてもよい。上記確認するステップは、ユーザによって視覚可能に行われてもよい。上記確認するステップでは、テストサンプル容器１２２は、ユーザによって手動で取り除かれてもよい。例示的な方法を実施するために、第１の基準サンプルＲＳは、溶媒中に溶解した基準物質、溶媒または空気を含んでいてもよい。
【００５５】
［0054］例示的な方法４００は、キャリア１３０を移動させて、キャリア１３０の第２の保持領域１３２内に受け入れられた第２の基準サンプル容器１３４を光路ＬＰ内の第２の位置Ｂに位置決めする工程と、照明システム１１０からの光を光路ＬＰに沿って検出システム１４０へ方向付けて、第２の位置Ｂで第２の基準サンプル容器１３４に収容された第２の基準サンプルＲＳについての光吸収測定を実施する工程と、を備えている。例示的な方法を実施するために、第１の基準サンプルＲＳは、適切な溶媒中に溶解した基準物質を含んでおり、第２の基準サンプルＲＳは、溶媒のみを含んでいる。
【００５６】
［0055］代替の例示的な方法４００では、第１の基準サンプル容器１３４は、溶媒中に溶解した基準サンプルＲＳを収容し、第２の基準サンプル容器１３４は、溶媒のみを収容する。この方法は、さらに、溶媒を有する基準サンプルＲＳの光吸収測定から生じる第１のスペクトルを取得する工程と、溶媒のみの光吸収測定から生じる第２スペクトルを取得する工程と、第１のスペクトルと第２のスペクトルとに基づいて基準サンプルスペクトルを取得する工程と、を備えている。例示的な方法では、基準サンプルスペクトルは、第１のスペクトルから第２のスペクトルを差し引くことによって、第１のスペクトルと第２のスペクトルとの比を計算することによって、または、他の適切な方法によって取得される。この方法は、さらに、基準サンプルスペクトルの波長および／または強度を分析する工程を備えている。波長は、少なくとも１つのピークまたは吸収最大の位置を取得すること、および、そこから、基準サンプルＲＳ中の物質の種類または物質の分類を決定することによって分析され得る。強度は、少なくとも１つのピークまたは吸収最大の高さを取得すること、および、そこから、基準サンプルＲＳ中の物質の量または濃度を決定することによって分析され得る。この方法は、さらに、波長および／または強度の分析の結果を、基準に関する基準と比較することによって、基準との整合性が達成されているか否かを決定する工程を備えている。この方法は、さらに、整合性が達成されているか否かを表すデータを、一時的でないコンピュータで読み取り可能な媒体に記憶する工程、および／または、当該データをディスプレイ１９４に表示する工程を備えている。例示的な実施形態では、データは、整合性レポートを生成するために使用される。
【００５７】
［0056］本発明は、その趣旨または本質的な特性から逸脱することなく他の具体的な形態で実施され得ることが当業者によって理解されるであろう。したがって、ここで開示されている実施形態は、あらゆる点で例示的であり、限定的ではない。本発明の範囲は、上述の説明ではなく、添付の特許請求の範囲によって示され、その意味、範囲および均等物内にある全ての変更が本発明に包含されることが意図されている。
［形態１］
テストサンプル（ＴＳ）についての光吸収測定、および、少なくとも１つの基準サンプル（ＲＳ）についてのコンプライアンス測定を実施するための装置（１００）であって、  光路（ＬＰ）に沿って光を方向付けるように構成された照明システム（１１０）と、
テストサンプル測定のために前記光路（ＬＰ）内の第１の位置（Ａ）のところで前記テストサンプル容器（１２２）を受け入れるように構成されたテストサンプル容器ホルダ（１２０）と、
基準サンプル測定のために基準サンプル容器（１３４）を受け入れるように構成された少なくとも１つの保持領域（１３２）を有する基準サンプル容器キャリア（１３０）と、
前記テストサンプル測定中に前記テストサンプル（ＴＳ）によって吸収された光を検出するように構成されるとともに、前記基準サンプル測定中に基準サンプル（ＲＳ）によって吸収された光を検出するように構成された検出システム（１４０）と、
前記基準サンプル容器キャリア（１３０）に接続されるアクチュエータ（１５０）であって、前記基準サンプル容器キャリア（１３０）を移動させて、前記少なくとも１つの保持領域（１３２）のそれぞれ１つに受け入れられた前記基準サンプル容器（１３４）を、第１の時点において前記光路（ＬＰ）内の第２の位置に位置決めするとともに、第２の時点において前記光路（ＬＰ）の外部の第３の位置に位置決めするように構成されたアクチュエータ（１５０）と
を備え、
前記第１の位置および前記第２の位置は、前記光路（ＬＰ）内において、該光路（ＬＰ）に沿った異なる場所に位置する
装置。
［形態２］
形態１に記載のテストサンプル（ＴＳ）についての光吸収測定、および、少なくとも１つの基準サンプル（ＲＳ）についてのコンプライアンス測定を実施するための装置１００であって、
前記基準サンプル容器キャリア（１３０）は、少なくとも２つの保持領域を備え、
前記少なくとも１つの保持領域（１３２）は、前記少なくとも２つの保持領域のうちの１つであり、
前記少なくとも２つの保持領域の各々は、少なくとも２つの基準サンプル容器（１３４）のそれぞれ１つを受け入れるように構成され、
前記アクチュエータ（１５０）は、前記基準サンプル容器キャリア（１３０）を移動させて、前記少なくとも２つの保持領域（１３２）のそれぞれ１つに受け入れられた少なくとも２つの基準サンプル容器（１３４）のうちの任意の１つを前記第２の位置に位置決めするように構成される
装置。
［形態３］
形態１または形態２に記載のテストサンプル（ＴＳ）についての光吸収測定、および、少なくとも１つの基準サンプル（ＲＳ）についてのコンプライアンス測定を実施するための装置（１００）であって、
光源（１１２）と、
放出端にある第１の光学素子（１１４）と
を備え、
前記第１の光学素子は、第１のガラスファイバ（１１６）を備え、
前記照明システム（１１０）および前記検出システム（１４０）は、前記照明システム（１１０）と前記検出システム（１４０）との間の前記光路（ＬＰ）の一部分における光が実質的にコリメートされるように構成された
装置。
［形態４］
形態１ないし形態３のいずれか一項に記載のテストサンプル（ＴＳ）についての光吸収測定、および、少なくとも１つの基準サンプル（ＲＳ）についてのコンプライアンス測定を実施するための装置（１００）であって、
受入端にある第２の光学素子（１４２）であって、第２のガラスファイバ（１４６）と、分散素子（１４７）と、を有する第２の光学素子（１４２）と、
光検出器（１４４）と
を備える装置。
［形態５］
形態１ないし形態４のいずれか一項に記載のテストサンプル（ＴＳ）についての光吸収測定、および、少なくとも１つの基準サンプル（ＲＳ）についてのコンプライアンス測定を実施するための装置（１００）であって、
前記基準サンプル容器キャリア（１３０）は、一時的でないコンピュータで読み取り可能な媒体（１３１）を備える
装置。
［形態６］
形態１ないし形態５のいずれか一項に記載のテストサンプル（ＴＳ）についての光吸収測定、および、少なくとも１つの基準サンプル（ＲＳ）についてのコンプライアンス測定を実施するための装置（１００）であって、
前記アクチュエータ（１５０）と前記基準サンプル容器キャリア（１３０）とを接続する直線コンベア（１６０）を備える
装置。
［形態７］
形態６に記載のテストサンプル（ＴＳ）についての光吸収測定、および、少なくとも１つの基準サンプル（ＲＳ）についてのコンプライアンス測定を実施するための装置（１００）であって、
前記照明システム（１１０）と前記テストサンプル容器ホルダ（１２０）と前記検出システム（１４０）とに結合される支持部材（１０２）と、
キャリアアセンブリ（１７０）と
を備え、
前記キャリアアセンブリ（１７０）は、前記基準サンプル容器キャリア（１３０）と、前記アクチュエータ（１５０）と、前記直線コンベア（１６０）と、該直線コンベア（１６０）に取り付けられるカバー（１７２）と、を備え、
前記キャリアアセンブリ（１７０）は、前記支持部材（１０２）に取り外し可能に取り付けられるように構成され、
前記カバー（１７２）は、前記キャリアアセンブリ（１７０）が前記装置（１００）に取り付けられたときに、前記基準サンプル容器キャリア（１３０）と前記アクチュエータ（１５０）と前記直線コンベア（１６０）とを前記装置（１００）の外部環境から少なくとも部分的に遮蔽するように構成される
装置。
［形態８］
形態７に記載のテストサンプル（ＴＳ）についての光吸収測定、および、少なくとも１つの基準サンプル（ＲＳ）についてのコンプライアンス測定を実施するための装置（１００）であって、
前記キャリアアセンブリ（１７０）は、スナップ嵌め式取付機構、磁気式取付機構およびボルト留め取付機構からなる組から選択される取付機構によって、前記支持部材（１０２）に取り外し可能に取り付けられるように構成される
装置。
［形態９］
形態６ないし形態８のいずれか一項に記載のテストサンプル（ＴＳ）についての光吸収測定、および、少なくとも１つの基準サンプル（ＲＳ）についてのコンプライアンス測定を実施するための装置（１００）であって、
前記アクチュエータ（１５０）および前記直線コンベア（１６０）は、少なくとも１０マイクロメータの直線精度を有するように構成された
装置。
［形態１０］
形態６ないし形態９のいずれか一項に記載のテストサンプル（ＴＳ）についての光吸収測定、および、少なくとも１つの基準サンプル（ＲＳ）についてのコンプライアンス測定を実施するための装置（１００）であって、
前記アクチュエータ（１５０）、前記直線コンベア（１６０）および前記基準サンプル容器キャリア（１３０）は、前記少なくとも１つの保持領域（１３２）のそれぞれ１つに受け入れられた基準サンプル容器（１３４）が、前記アクチュエータ（１５０）が所定の移動を行う前に前記光路（ＬＰ）の外部に位置決めされ、前記アクチュエータ（１５０）が所定の移動を行った後に前記第２の位置（Ｂ）に位置決めされるように構成される
装置。
［形態１１］
形態１ないし形態１０のいずれか一項に記載のテストサンプル（ＴＳ）についての光吸収測定、および、少なくとも１つの基準サンプル（ＲＳ）についてのコンプライアンス測定を実施するための装置（１００）であって、
前記少なくとも１つの保持領域（１３２）のそれぞれ１つに受け入れられる基準サンプル容器（１３４）と組み合わされた
装置。
［形態１２］
形態１１に記載のテストサンプル（ＴＳ）についての光吸収測定、および、少なくとも１つの基準サンプル（ＲＳ）についてのコンプライアンス測定を実施するための装置（１００）であって、
前記基準サンプル容器（１３４）は、２つの対向する壁部（１３６）を備え、
前記２つの対向する壁部（１３６）の各々は、前記基準サンプル容器（１３４）が前記第２の位置（Ｂ）に位置決めされたときに前記光路（ＬＰ）が通過するそれぞれのウィンドウ（１３８）を有する
装置。
［形態１３］
形態１２に記載のテストサンプル（ＴＳ）についての光吸収測定、および、少なくとも１つの基準サンプル（ＲＳ）についてのコンプライアンス測定を実施するための装置（１００）であって、
前記ウィンドウ（１３８）のうちの少なくとも１つは、水滴形状を有する
装置。
［形態１４］
形態１１ないし形態１３のいずれか一項に記載のテストサンプル（ＴＳ）についての光吸収測定、および、少なくとも１つの基準サンプル（ＲＳ）についてのコンプライアンス測定を実施するための装置（１００）であって、
前記基準サンプル容器（１３４）に収容された基準サンプル（ＲＳ）と組み合わされ、
前記基準サンプル（ＲＳ）は、前記装置（１００）の波長精度、前記装置（１００）の迷光性能、前記装置（１００）の線形性、または、前記装置（１００）の分解能のうちの１つを決定するのに使用されるために選択される
装置。
［形態１５］
形態１ないし形態１４のいずれか一項に記載のテストサンプル（ＴＳ）についての光吸収測定、および、少なくとも１つの基準サンプル（ＲＳ）についてのコンプライアンス測定を実施するための装置（１００）であって、
前記テストサンプル容器ホルダ（１２０）内に受け入れられたテストサンプル容器（１２２）、または、
前記テストサンプル容器（１２２）に収容されたテストサンプル（ＴＳ）と組み合わされた前記テストサンプル容器ホルダ（１２０）内に受け入れられた前記テストサンプル容器（１２２）
と組み合わされた装置。
［形態１６］
特に形態１ないし形態１５のいずれか一項に記載のテストサンプル（ＴＳ）についての光吸収測定、および、少なくとも１つの基準サンプル（ＲＳ）についてのコンプライアンス測定を実施するための装置（１００）であって、
光路（ＬＰ）に沿って光を方向付けるように構成された照明システム（１１０）と、
テストサンプル測定のために前記光路（ＬＰ）内の第１の位置（Ａ）のところで前記テストサンプル容器（１２２）を受け入れるように構成されたテストサンプル容器ホルダ（１２０）と、
基準サンプル測定のために空の基準サンプル容器（１３４）を受け入れる少なくとも１つの保持領域（１３２）を有する基準サンプル容器キャリア（１３０）と
を備え、
前記基準サンプル容器（１３４）は、基準サンプル（ＲＳ）を受け入れるように構成され、
装置（１００）は、さらに、
前記テストサンプル測定中にテストサンプル（ＴＳ）によって吸収された光を検出するように構成されるとともに、基準サンプル測定中に基準サンプル（ＲＳ）によって吸収された光を検出するように構成された検出システム（１４０）と、
前記基準サンプル容器キャリア（１３０）に接続されるアクチュエータ（１５０）であって、前記基準サンプル容器キャリア（１３０）を移動させて、前記基準サンプル容器（１３４）を、第１の時点において前記光路（ＬＰ）内の第２の位置（Ｂ）に位置決めするとともに、第２の時点において前記光路（ＬＰ）の外部の第３の位置に位置決めするように構成されたアクチュエータ（１５０）と
を備え、
前記第１の位置（Ａ）および前記第２の位置（Ｂ）は、前記光路内において、該光路に沿った異なる場所に位置する
装置。
［形態１７］
テストサンプル（ＴＳ）についての光吸収測定、および、少なくとも１つの基準サンプル（ＲＳ）についてのコンプライアンス測定を実施するための方法（４００）であって、
光吸収測定を実施するための装置（１００）の基準サンプル容器キャリア（１３０）を移動させて、前記キャリア（１３０）の第１の保持領域（１３２）内に受け入れられた第１の基準サンプル容器（１３４）を光路内の第２の位置（Ｂ）に位置決めする工程と、
前記装置（１００）の照明システム（１１０）からの光を前記光路（ＬＰ）に沿って前記装置（１００）の検出システム（１４０）へ方向付けて、前記第２の位置（Ｂ）で前記第１の基準サンプル容器（１３４）に収容された第１の基準サンプル（ＲＳ）についての光吸収測定を実施する工程と、
前記キャリア（１３０）を移動させて、前記第１の基準サンプル容器（１３４）を前記光路（ＬＰ）の外部に位置決めする工程と、
前記光路（ＬＰ）内の第１の位置（Ａ）のところで前記装置（１００）のテストサンプル容器ホルダ（１２０）内にテストサンプル容器（１２２）を配置する工程と
を備え、
前記第２の位置（Ｂ）および前記第１の位置（Ａ）は、前記光路（ＬＰ）内において、該光路（ＬＰ）に沿った異なる場所に位置し、
前記方法（４００）は、さらに、前記照明システム（１１０）からの光を前記光路に沿って前記検出システム（１４０）へ方向付けて、前記第１の位置（Ａ）で前記テストサンプル容器（１２２）に収容されたテストサンプル（ＴＳ）についての光吸収測定を実施する工程を備える
方法。
［形態１８］
形態１７に記載のテストサンプル（ＴＳ）についての光吸収測定、および、少なくとも１つの基準サンプル（ＲＳ）についてのコンプライアンス測定を実施するための方法（４００）であって、
前記照明システム（１１０）からの光を前記光路（ＬＰ）に沿って前記検出システムへ方向付けて、前記第２の位置（Ｂ）で前記第１の基準サンプル容器（１３４）に収容された前記第１の基準サンプル（ＲＳ）についての前記光吸収測定を実施する前に、前記テストサンプル容器ホルダ（１２０）内に受け入れられたテストサンプル容器（１２２）が存在しないことを確認する工程を備える
方法。
［形態１９］
形態１７または形態１８に記載のテストサンプル（ＴＳ）についての光吸収測定、および、少なくとも１つの基準サンプル（ＲＳ）についてのコンプライアンス測定を実施するための方法（４００）であって、
前記キャリア（１３０）を移動させて、該キャリア（１３０）の第２の保持領域（１３４）内に受け入れられた第２の基準サンプル容器（１３４）を前記光路（ＬＰ）内の前記第２の位置（Ｂ）に位置決めする工程と、
前記照明システム（１１０）からの光を前記光路（ＬＰ）に沿って前記検出システム（１４０）へ方向付けて、前記第２の位置（Ｂ）で前記第２の基準サンプル容器（１３４）に収容された第２の基準サンプル（ＲＳ）についての光吸収測定を実施する工程と
を備える方法。
［形態２０］
形態１７ないし形態１９のいずれか一項に記載のテストサンプル（ＴＳ）についての光吸収測定、および、少なくとも１つの基準サンプル（ＲＳ）についてのコンプライアンス測定を実施するための方法（４００）であって、
前記第１の基準サンプル（ＲＳ）は、溶媒内に溶解した物質を含み、
前記第２の基準サンプル（ＲＳ）は、前記溶媒のみを含み、
前記方法は、
前記第１の基準サンプル容器（１３４）に収容された前記第１の基準サンプルについての前記光吸収測定から生じる第１のスペクトルを取得する工程と、
前記第２の基準サンプル容器（１３４）に収容された前記物質についての前記光吸収測定から生じる第２のスペクトルを取得する工程と、
前記第１のスペクトルと前記第２のスペクトルとに基づいて基準サンプルスペクトルを取得する工程と、
前記基準サンプルスペクトルの波長および強度の少なくとも一方を分析する工程と、
基準との整合性が達成されているか否かを決定する工程と、
整合性が達成されているか否かを表すデータを、一時的でないコンピュータで読み取り可能な媒体（１３１）に記憶することと、前記データを表示すること（１９４）と、のうちの少なくとも一方を実施する工程と
を備える方法。
【符号の説明】
【００５８】
１００…装置
１０２…支持部材
１１０…照明システム
１１２…光源
１１４…第１の光学素子
１１５…コリメータレンズ
１１６…第１のガラスファイバ
１２０…テストサンプル容器ホルダ
１２２…テストサンプル容器
１２４…貫通穴
１３０…基準サンプル容器キャリア
１３１…コンピュータで読み取り可能な媒体
１３２…保持領域
１３４…基準サンプル容器
１３６…壁部
１３８…ウィンドウ
１４０…検出システム
１４２…第２の光学素子
１４３…入口スリット
１４４…光検出器
１４６…ガラスファイバ
１４７…分散素子
１５０…アクチュエータ
１６０…直線コンベア
１７０…キャリアアセンブリ
１７２…カバー
１９２…センサチップ
１９４…ディスプレイ
Ａ…第１の位置
Ｂ…第２の位置
ＬＰ…光路
ＲＳ…基準サンプル
ＴＳ…テストサンプル
【図１】
0006785843.tif 000002
【図２】
0006785843.tif 000003
【図３】
0006785843.tif 000004
【図４】
0006785843.tif 000005